【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
通信装置であって、
サーバ装置により送信されるプッシュ通知のうち前記通信装置を通知対象とするプッシュ通知を識別するための識別情報を、中継装置に送信する送信手段と、
前記送信手段による前記中継装置への前記識別情報の送信後に、前記通信装置の動作モードを、第１動作モードから、前記第１動作モードよりも消費電力が小さい第２動作モードに切り替えるための処理を実行する制御手段と、
前記送信手段による前記中継装置への前記識別情報の送信後に前記中継装置から前記通信装置へ送信されたプッシュ通知を受信する受信手段とを有することを特徴とする通信装置。
【請求項２】
前記識別情報に対応するプッシュ通知の送信先が前記中継装置となるように前記サーバ装置に設定させるための情報を提供する提供手段を有することを特徴とする請求項１に記載の通信装置。
【請求項３】
前記提供手段は、前記情報を前記中継装置又は前記サーバ装置へ提供することを特徴とする請求項２に記載の通信装置。
【請求項４】
前記受信手段は、前記制御手段により実行される処理に応じて前記通信装置の動作モードが前記第２動作モードに切り替わった後に、前記中継装置から前記通信装置へ送信されたプッシュ通知を受信することを特徴とする請求項１乃至３の何れか１項に記載の通信装置。
【請求項５】
前記受信手段は、前記中継装置から前記通信装置へ送信されたプッシュ通知を前記第２動作モードにおいて受信することを特徴とする請求項４に記載の通信装置。
【請求項６】
前記通信装置を通知対象とするプッシュ通知を前記中継装置が前記サーバ装置から受信したことを示す通知を、前記第２動作モードにおいて受信する第２受信手段を有し、
前記受信手段は、前記第２受信手段による前記通知の受信に応じて前記通信装置の動作モードが前記第２動作モードから前記第１動作モードに切り替わった後に、前記中継装置から前記通信装置へ送信されたプッシュ通知を前記第１動作モードにおいて受信することを特徴とする請求項４に記載の通信装置。
【請求項７】
前記第１動作モードは、前記通信装置が第１の通信方式に従って通信可能なモードであり、
前記第２動作モードは、前記通信装置が前記第１の通信方式とは異なる第２の通信方式に従って通信可能なモードであることを特徴とする請求項１乃至６の何れか１項に記載の通信装置。
【請求項８】
前記第１の通信方式は、ＢＬＥ、ＺｉｇＢｅｅ、及びＮＦＣの何れかによって通信を行う方式であり、
前記第２の通信方式は、無線ＬＡＮ、公衆無線、及び有線ＬＡＮの何れかによって通信を行う方式であることを特徴とする請求項７に記載の通信装置。
【請求項９】
前記送信手段は、前記第１動作モードにおいて前記識別情報を前記中継装置へ送信することを特徴とする請求項１乃至８の何れか１項に記載の通信装置。
【請求項１０】
サーバ装置から通信装置へ送信されるプッシュ通知を中継する中継装置であって、
前記通信装置を通知対象とするプッシュ通知を識別するための識別情報を保持する保持手段と、
前記サーバ装置により送信されたプッシュ通知を第１通信手段を用いて受信する受信手段と、
前記受信手段により受信されたプッシュ通知が前記通信装置を通知対象とするプッシュ通知であるかを、前記保持手段により保持された前記識別情報に基づいて判定する判定手段と、
前記受信手段により受信されたプッシュ通知が前記通信装置を通知対象とするプッシュ通知であると前記判定手段により判定された場合に、前記第１通信手段とは少なくとも通信方式が異なる第２通信手段を用いて当該プッシュ通知を前記通信装置へ送信する送信手段とを有することを特徴とする中継装置。
【請求項１１】
前記通信装置から前記識別情報を受信する第２受信手段を有し、
前記保持手段は、前記第２受信手段により受信された前記識別情報を保持することを特徴とする請求項１０に記載の中継装置。
【請求項１２】
前記第２通信手段は、前記第１通信手段よりも小さい消費電力で動作可能であることを特徴とする請求項１０又は１１に記載の中継装置。
【請求項１３】
前記第１通信手段は、ＨＴＴＰ／２に従って通信を行うことを特徴とする請求項１０乃至１２のいずれか１項に記載の中継装置。
【請求項１４】
前記識別情報は、サービスを識別するサービス属性ＩＤと、前記通信装置を識別する識別子とを含むことを特徴とする請求項１０乃至１３のいずれか１項に記載の中継装置。
【請求項１５】
通信装置の制御方法であって、
サーバ装置により送信されるプッシュ通知のうち前記通信装置を通知対象とするプッシュ通知を識別するための識別情報を、中継装置に送信する送信工程と、
前記送信工程における前記中継装置への前記識別情報の送信後に、前記通信装置の動作モードを、第１動作モードから、前記第１動作モードよりも消費電力が小さい第２動作モードに切り替えるための処理を実行する制御工程と、
前記送信工程における前記中継装置への前記識別情報の送信後に前記中継装置から前記通信装置へ送信されたプッシュ通知を受信する受信工程と、を有することを特徴とする通信装置の制御方法。
【請求項１６】
前記識別情報に対応するプッシュ通知の送信先が前記中継装置となるように前記サーバ装置に設定させるための情報を提供する提供工程を有することを特徴とする請求項１５に記載の通信装置の制御方法。
【請求項１７】
サーバ装置から通信装置へ送信されるプッシュ通知を中継する中継装置の制御方法であって、
前記通信装置を通知対象とするプッシュ通知を識別するための識別情報を保持する保持工程と、
前記サーバ装置により送信されたプッシュ通知を第１通信手段を用いて受信する受信工程と、
前記受信工程において受信されたプッシュ通知が前記通信装置を通知対象とするプッシュ通知であるかを、前記保持工程において保持された前記識別情報に基づいて判定する判定工程と、
前記受信工程において受信されたプッシュ通知が前記通信装置を通知対象とするプッシュ通知であると前記判定工程において判定された場合に、前記第１通信手段とは少なくとも通信方式が異なる第２通信手段を用いて当該プッシュ通知を前記通信装置へ送信する送信工程と、を有することを特徴とする中継装置の制御方法。
【請求項１８】
前記通信装置から前記識別情報を受信する第２受信工程を有し、
前記保持工程は、前記第２受信工程において受信された前記識別情報を保持することを特徴とする請求項１７に記載の中継装置の制御方法。
【請求項１９】
コンピュータを、請求項１乃至９の何れか１項に記載の通信装置の各手段、又は請求項１０乃至１４の何れか１項に記載の中継装置の各手段として機能させるためのプログラム。
【手続補正２】
【補正対象書類名】明細書
【補正対象項目名】発明の名称
【補正方法】変更
【補正の内容】
【発明の名称】通信装置および中継装置およびそれらの制御方法、プログラム
【手続補正３】
【補正対象書類名】明細書
【補正対象項目名】０００１
【補正方法】変更
【補正の内容】
【０００１】
本発明は、通信装置および中継装置およびそれらの制御方法、プログラムに関する。
【手続補正４】
【補正対象書類名】明細書
【補正対象項目名】０００８
【補正方法】変更
【補正の内容】
【０００８】
上記の目的を達成するための本発明の一態様による通信装置は以下の構成を有する。すなわち、
サーバ装置により送信されるプッシュ通知のうち前記通信装置を通知対象とするプッシュ通知を識別するための識別情報を、中継装置に送信する送信手段と、
前記送信手段による前記中継装置への前記識別情報の送信後に、前記通信装置の動作モードを、第１動作モードから、前記第１動作モードよりも消費電力が小さい第２動作モードに切り替えるための処理を実行する制御手段と、
前記送信手段による前記中継装置への前記識別情報の送信後に前記中継装置から前記通信装置へ送信されたプッシュ通知を受信する受信手段とを有する。